【事件の表示】
　特願２０１２−１０４２３７号「ゲーミングマシン」拒絶査定不服審判事件〔平成２５年１１月１４日出願公開、特開２０１３−２３０２７１号〕について、次のとおり審決する。
【結　論】
　本件審判の請求は、成り立たない。
【理　由】
第１　手続の経緯 
　本願は，平成２４年４月２７日に特許出願されたものであって，平成２８年７月１４日付けで拒絶査定がなされ，これに対して，同年９月８日付けで拒絶査定不服審判の請求がなされるとともに手続補正がなされ，当審において，平成２９年３月１３日付けで拒絶の理由が通知され，これに対し同年６月７日付けで意見書が提出されたものである。
第２　本件発明について
１　本件発明
　本願の請求項１〜４に係る発明は，平成２８年９月８日付けの手続補正により補正された特許請求の範囲の請求項１〜４に記載されたとおりのものであるところ，請求項１に係る発明（以下「本件発明」という。）は，次に特定されるとおりのものである（Ａ〜Ｅについては，発明特定事項を分説するため当審で付与した。）。
「【請求項１】
Ａ　表示窓を有した筐体と，
Ｂ　前記表示窓を介して前記筐体外から視認可能に前記筐体内に配置され，複数のシンボルを備えたリール帯がそれぞれ設けられて水平方向に並設された複数のリールと，
Ｃ　遊技に関する情報を識別可能とする可視情報を含む可視光と，前記可視光よりも視認性が低い可視光とを前記リール帯に切り替え可能に照射する照射光装置とを有しており，
Ｄ　前記リールは，前記照射光装置からの前記可視光を反射するミラー層を有し，
Ｅ　前記照射光装置は，前記表示窓の窓枠よりも外側領域に配置され，前記可視光を前記リールの前記リール帯側に照射するように設定されており，前記可視光よりも視認性が低い可視光を出射するフロントライト装置として用いられるとともに，全リールの幅よりも長尺の可視光を出射するように，前記リール毎に対向して配置されて前記水平方向に並設された複数のＬＥＤユニットを有していることを特徴とするゲーミングマシン。」
２　刊行物に記載された事項
（１）刊行物１
　当審における拒絶の理由（平成２９年３月１３日付け拒絶理由通知書）に刊行物１として引用された本願の遡及出願日前に頒布された刊行物である特開２００５−１２４７３９号公報（以下，「刊行物１」という。）には，図面と共に次の事項が記載されている（下線は当審で付した。以下同じ。）。
（ア）「【００２６】
　図１は，スロットマシン１の外観構造を表した正面図，図２はスロットマシン１の内部構造を表した図である。図１及び図２において，
スロットマシン１は，箱状の筐体２と，筐体２と蝶番機構により開閉可能に取り付けられたフロントドア３とを備え
【００２７】 
　
フロントドア３
には
中部パネル部５
が設けられ
・・・ 
【００３０】
　
中部パネル部５には
パネル面５０が設けられ
パネル面５０
には
表示窓５１が形成され
表示窓５１を通して筐体２内に取り付けられている３個のリール２１ａ，２１ｂ，２１ｃ
を目視できるようになっている
【００３１】 
　ここで，詳細は後述するが，回胴装置２０は，
３個の円筒形状のリール２１ａ，２１ｂ，２１ｃが回転軸方向に並べられて構成され，筐体２内に設置され
（イ）「【００４４】 
　サブ制御基板３３０の下方には，リール２１ａ，２１ｂ，２１ｃを目視させるための表示窓５１を有するパネル面５０が取り付けられている。表示窓５１の上下端側に，
リール２１ａ，２１ｂ，２１ｃに向けて映像を投影する２個の投影部３４ａ，３４ｂ
（ウ）「【００５６】 
　第１，第２リング部２１３，２１４及び梁部２１５から形成される
リール２１ａの周面には，長尺状のリールテープ２８ａが貼り付けられ
その表面にはハーフミラー加工が施されて鏡面２８２ａが形成され，裏面には複数種類の図柄２８１ａが印刷
【００５７】 
　なお，透明なプラスチックシートの一方の面にハーフミラー加工が施され，他方の面に入射した光をほぼ透過させる性質を有するリールテープをここでは「ハーフミラーテープ」と呼んでいる。また，
他のリール２１ｂ，２１ｃの周面にも図柄の配列のみが異なる同様のリールテープがそれぞれ捲装されて貼り付けられ
（エ）「【００６３】 
　なお，
投影部３４ａ，３４ｂを形成する液晶ディスプレイは，バックライトを有してユニット化された自発光型の映像表示装置である。
演出画像が印刷された透過フィルムを映写して
投影する表示装置でもよい
【００６４】 
　
図６（ａ）は，回胴装置２０
によって演出映像を表示する表示態様を表している
任意に選択されたリール２１
リール２１の表示面に向けて投影部３４ａ，３４ｂが映像を投影すると，リール２１の周面に形成されている鏡面で映像が反射する。これにより，遊技者ＰＥＹＥは表示窓５１を通して反射映像ＭＩＭＧを観察できる
・・・ 
【００６７】 
　なお，バックランプユニット２６ａ，２６ｂ，２６ｃのいずれかを選択して点灯させることで，そのバックランプを有するリール２１のみに図柄像ＲＩＭＧを表示させることができる。そして，バックランプユニット２６ａ，２６ｂ，２６ｃを点灯させないリール２１に向けて部分的に投影部３４ａ，３４ｂが映像を投影すると，そのリール２１のみに反射映像ＭＩＭＧが表示される。」
（オ）「【０１０６】
　図１１は，
ＢＢゲーム告知演出の
「ＧＯ」の文字を表す演出映像が投影されると，これらの映像がリール２１ａ，２１ｃの鏡面で反射して表示される
（カ）上記【００６４】には「図６（ａ）は，回胴装置２０・・・によって演出映像を表示する表示態様を表している・・・リール２１の表示面に向けて投影部３４ａ，３４ｂが映像を投影すると，リール２１の周面に形成されている鏡面で映像が反射する。これにより，遊技者ＰＥＹＥは表示窓５１を通して反射映像ＭＩＭＧを観察できる」と記載され，上記【００３０】には，「表示窓５１を通して筐体２内に取り付けられている３個のリール２１ａ，２１ｂ，２１ｃ・・・を目視できる」と記載され，上記【００３１】には「３個の円筒形状のリール２１ａ，２１ｂ，２１ｃが回転軸方向に並べられて構成され，筐体２内に設置され」と記載され，上記【００６４】の「リール２１」は，３個のリール２１ａ，２１ｂ，２１ｃであることは明らかである。これらのことを参酌すると，【図６】（ａ）には，
投影部３４ａ，３４ｂは，筐体２外から表示窓５１を通して３個のリール２１ａ，２１ｂ，２１ｃを目視できる領域から外れた位置に配置されるとともに，回転軸方向に並べられた３個のリール２１ａ，２１ｂ，２１ｃに対向して配置され
　上記（ア）〜（オ）の記載事項及び上記（カ）の図示内容から，刊行物１には，以下の事項が記載されているといえる。
（ａ）上記【００２６】には「スロットマシン１は，箱状の筐体２と，筐体２と蝶番機構により開閉可能に取り付けられたフロントドア３とを備え」と記載され，上記【００２７】には「フロントドア３・・・には・・・中部パネル部５・・・が設けられ」と記載され，上記【００３０】には「中部パネル部５には・・・パネル面５０が設けられ・・・パネル面５０・・・には・・・表示窓５１が形成され」と記載され，「フロントドア３」は，通常時は閉の状態であることは明らかであるから，筐体２の一部であるといえる。
　これらのことから，刊行物１には，
表示窓５１が形成された筐体２
（ｂ）上記【００３０】には，「表示窓５１を通して筐体２内に取り付けられている３個のリール２１ａ，２１ｂ，２１ｃ・・・を目視できるようになっている」と記載され，上記【００５６】には「リール２１ａの周面には，長尺状のリールテープ２８ａが貼り付けられ・・・その表面にはハーフミラー加工が施されて鏡面２８２ａが形成され，裏面には複数種類の図柄２８１ａが印刷」と記載され，上記【００３１】には「３個の円筒形状のリール２１ａ，２１ｂ，２１ｃが回転軸方向に並べられて構成され，筐体２内に設置され」と記載されている。
　これらのことから，刊行物１には，
表示窓５１を通して目視できるように筐体２内に取り付けられ，裏面には複数種類の図柄２８１ａが印刷された長尺状のリールテープ２８ａが周面に貼り付けられて回転軸方向に並べられて構成された３個の円筒形状のリール２１ａ，２１ｂ，２１ｃ
（ｃ）上記【００６３】には，「投影部３４ａ，３４ｂを形成する液晶ディスプレイは，バックライトを有してユニット化された自発光型の映像表示装置である。・・・演出画像が印刷された透過フィルムを映写して・・・投影する表示装置でもよい」と記載され，演出画像が印刷された透過フィルムを映写して投影する表示装置は、液晶バックライトが有するバックライトのような光源がないと演出画像を投影することができないから、演出画像が印刷された透過フィルムを映写して投影する表示装置が、光源を有していることは明らかである。
　また、上記【０１０６】には，「ＢＢゲーム告知演出の・・・「ＧＯ」の文字を表す演出映像が投影されると，これらの映像がリール２１ａ，２１ｃの鏡面で反射して表示される」と記載され，上記【００６４】には「遊技者ＰＥＹＥは・・・反射映像ＭＩＭＧを観察できる。」と記載され，上記【００４４】には，「リール２１ａ，２１ｂ，２１ｃに向けて映像を投影する２個の投影部３４ａ，３４ｂ」と記載されている。
　これらのことから，刊行物１には，
演出画像が印刷された透過フィルムを映写して，ＢＢゲーム告知演出であり遊技者ＰＥＹＥが反射映像ＭＩＭＧを観察できる「ＧＯ」の文字を表す演出映像をリール２１ａ，２１ｂ，２１ｃに向けて投影する光源を有する投影部３４ａ，３４ｂ
（ｄ）上記【００５６】には，「リール２１ａの周面には，長尺状のリールテープ２８ａが貼り付けられ・・・その表面にはハーフミラー加工が施されて鏡面２８２ａが形成され」と記載され，上記【００５７】には「他のリール２１ｂ，２１ｃの周面にも図柄の配列のみが異なる同様のリールテープがそれぞれ捲装されて貼り付けられ」と記載され，上記【００６４】には，「リール２１の表示面に向けて投影部３４ａ，３４ｂが映像を投影すると，リール２１の周面に形成されている鏡面で映像が反射する」と記載されている。
　これらのことから，刊行物１には，
リール２１ａ，２１ｂ，２１ｃには，投影部３４ａ，３４ｂが映像を投影すると映像を反射する鏡面２８２ａが形成され
（ｅ）上記図示内容（カ）には，「投影部３４ａ，３４ｂは，筐体２外から表示窓５１を通して３個のリール２１ａ，２１ｂ，２１ｃを目視できる領域から外れた位置に配置されるとともに，回転軸方向に並べられた３個のリール２１ａ，２１ｂ，２１ｃに対向して配置され」ていることが記載され、上記【００６３】には，「投影部３４ａ，３４ｂを形成する液晶ディスプレイは，バックライトを有してユニット化された自発光型の映像表示装置である。・・・演出画像が印刷された透過フィルムを映写して・・・投影する表示装置でもよい」と記載されると共に、上記（ｃ）において検討したように、演出画像が印刷された透過フィルムを映写して投影する投影部３４ａ，３４ｂは光源を有しており、上記【０１０６】には，「「ＧＯ」の文字を表す演出映像が投影されると，これらの映像がリール２１ａ，２１ｃの鏡面で反射して表示される」と記載され，上記【００６４】には，「任意に選択されたリール２１・・・の表示面に向けて投影部３４ａ，３４ｂが映像を投影すると」と記載され，上記【００２６】には，「スロットマシン１」と記載されている。
　これらのことから，刊行物１には，
投影部３４ａ，３４ｂは，筐体２外から表示窓５１を通して３個のリール２１ａ，２１ｂ，２１ｃを目視できる領域から外れた位置に配置されるとともに，回転軸方向に並べられた３個のリール２１ａ，２１ｂ，２１ｃに対向して配置され，演出画像が印刷された透過フィルムを映写して，「ＧＯ」の文字を表す演出映像を任意に選択されたリール２１ａ，２１ｂ，２１ｃに向けて投影する光源を有するスロットマシン１
　上記（ア）〜（オ）の記載事項，上記（カ）の図示内容及び上記（ａ）〜（ｅ）の認定事項を総合すれば，刊行物１には以下の発明（以下，「引用発明」という。）が記載されている（ａ〜ｅは発明の構成を分説するため当審で付与した。）。
「ａ　表示窓５１が形成された筐体２と，
ｂ　表示窓５１を通して目視できるように筐体２内に取り付けられ，裏面には複数種類の図柄２８１ａが印刷された長尺状のリールテープ２８ａが周面に貼り付けられて回転軸方向に並べられて構成された３個の円筒形状のリール２１ａ，２１ｂ，２１ｃと，
ｃ　演出画像が印刷された透過フィルムを映写して，ＢＢゲーム告知演出であり遊技者ＰＥＹＥが反射映像ＭＩＭＧを観察できる「ＧＯ」の文字を表す演出映像をリール２１ａ，２１ｂ，２１ｃに向けて投影する光源を有する投影部３４ａ，３４ｂとを有しており，
ｄ　リール２１ａ，２１ｂ，２１ｃには，投影部３４ａ，３４ｂが映像を投影すると映像を反射する鏡面２８２ａが形成され，
ｅ　投影部３４ａ，３４ｂは，筐体２外から表示窓５１を通して３個のリール２１ａ，２１ｂ，２１ｃを目視できる領域から外れた位置に配置されるとともに，回転軸方向に並べられた３個のリール２１ａ，２１ｂ，２１ｃに対向して配置され，演出画像が印刷された透過フィルムを映写して，「ＧＯ」の文字を表す演出映像を任意に選択されたリール２１ａ，２１ｂ，２１ｃに向けて投影する光源を有するスロットマシン１。」
（２）刊行物２
　当審における拒絶の理由（平成２９年３月１３日付け拒絶理由通知書）に刊行物２として引用された本願の遡及出願日前に頒布された刊行物である特開２００８−１９４２９３号公報（以下，「刊行物２」という。）には，図面と共に次の事項が記載されている。
（ア）「【００１７】
　図１は，本実施形態における弾球遊技機を示す分解図，図２は，弾球断面側面図である。である。以下，本明細書においては，
遊技機
（イ）「【００３９】
　さらに，発光装置６１及び液晶表示装置６２の双方の場合において，透光部５４の色と同じ系統の色と，異なる系統の色を選択的に発光させて，透光部５４の表示内容を変更させるように演出してもよい。例えば，
透明な
透光部に
赤色で文字を表示し，発光装置６１
で赤
を発光することで
文字を消し，赤に対する補色
を発光することで
文字を際立たせる
演出をする
　上記（ア）〜（イ）の記載事項から，引用例２には，次の事項（以下，「引用例２に記載された技術」という。）が開示されていると認められる。 
「透明な透光部に赤色で文字を表示し，発光装置６１で赤を発光することで文字を消し，赤に対する補色を発光することで文字を際立たせる演出をする遊技機。」
３　対比
　本件発明と引用発明とを対比する。なお，見出しは（ａ）〜（ｅ）とし，本件発明，引用発明の分説に対応させている。
（ａ）引用発明の「表示窓５１」，「筐体２」は，それぞれ本件発明の「表示窓」，「筐体」に相当する。
　このことから，引用発明の「表示窓５１が形成された筐体２」は，本件発明の「表示窓を有した筐体」に相当する。
（ｂ）引用発明の「表示窓５１を通して目視できる」ことは，本件発明の「表示窓を介して前記筐体外から視認可能」であることに相当する。
　そして，引用発明の「複数種類の図柄２８１ａが印刷された長尺状のリールテープ２８ａが周面に貼り付けられ」た「３個の円筒形状のリール２１ａ，２１ｂ，２１ｃ」は，本件発明の「複数のシンボルを備えたリール帯がそれぞれ設けられ」た「複数のリール」に相当し，引用発明において，リールの回転軸は水平方向に設けられていることは明らかであるから，引用発明の「回転軸方向に並べられて構成された」は，本件発明の「水平方向に並設された」に相当する。
　これらのことから，引用発明の「表示窓５１を通して目視できるように筐体２内に取り付けられ，裏面には複数種類の図柄２８１ａが印刷された長尺状のリールテープ２８ａが周面に貼り付けられて回転軸方向に並べられて構成された３個の円筒形状のリール２１ａ，２１ｂ，２１ｃ」は，本件発明の「前記表示窓を介して前記筐体外から視認可能に前記筐体内に配置され，複数のシンボルを備えたリール帯がそれぞれ設けられて水平方向に並設された複数のリール」に相当する。
（ｃ）引用発明の「ＢＢゲーム告知演出であり遊技者ＰＥＹＥが反射映像ＭＩＭＧを観察できる「ＧＯ」の文字を表す演出映像」は，本件発明の「遊技に関する情報を識別可能とする可視情報を含む可視光」に相当する。
　また，引用発明の「リール２１ａ，２１ｂ，２１ｃに向けて投影する」「投影部３４ａ，３４ｂ」は，本件発明の「リール帯に」「照射する照射光装置」に相当する。
　しかしながら，引用発明の「投影部３４ａ，３４ｂ」は，演出映像を表示しないで投影（可視光よりも視認性が低い可視光を出射）するか不明である。
　これらのことから，引用発明の「演出画像が印刷された透過フィルムを映写して，ＢＢゲーム告知演出であり遊技者ＰＥＹＥが反射映像ＭＩＭＧを観察できる「ＧＯ」の文字を表す演出映像をリール２１ａ，２１ｂ，２１ｃに向けて投影する光源を有する投影部３４ａ，３４ｂ」は，本件発明と「遊技に関する情報を識別可能とする可視情報を含む可視光」「を前記リール帯に」「照射する照射光装置」である点で共通している。
（ｄ）引用発明の「映像を反射する鏡面２８２ａ」は，本件発明の「可視光を反射するミラー層」に相当する。
　このことから，引用発明の「リール２１ａ，２１ｂ，２１ｃには，投影部３４ａ，３４ｂが映像を投影すると映像を反射する鏡面２８２ａが形成され」は，本件発明の「リールは，前記照射光装置からの前記可視光を反射するミラー層を有し」に相当する。
（ｅ）引用発明の「筐体２外から表示窓５１を通して３個のリール２１ａ，２１ｂ，２１ｃを目視できる領域から外れた位置」は，表示窓の窓枠よりも外側の領域であるといえるから，引用発明の「投影部３４ａ，３４ｂは，筐体２外から表示窓５１を通して３個のリール２１ａ，２１ｂ，２１ｃを目視できる領域から外れた位置に配置され」は，本件発明の「照射光装置は，前記表示窓の窓枠よりも外側領域に配置され」に相当する。
　また，引用発明の「投影部３４ａ，３４ｂは」「「ＧＯ」の文字を表す演出映像を」「リール２１ａ，２１ｂ，２１ｃに向けて投影する」ことは，本件発明の「照射光装置は」「前記可視光を前記リールの前記リール帯側に照射する」ことに相当する。
　そして，引用発明の「投影部３４ａ，３４ｂ」は「リール２１ａ，２１ｂ，２１ｃに対向して配置」されているから、引用発明の「投影部３４ａ，３４ｂ」が有する「光源」も「リール２１ａ，２１ｂ，２１ｃに対向して配置」されているといえる。
　しかしながら，引用発明は，視認性の低い可視光を出射する構成はなく，出射する幅は明らかでなく，ＬＥＤユニットを有しているか不明であり，「光源を有する」「投影部３４ａ，３４ｂ」がリール毎に対向しているか不明である。
　これらのこと，及び，引用発明の「光源」と本件発明の「ＬＥＤユニット」はいずれも「光源」であることを考慮すると，
　引用発明の「投影部３４ａ，３４ｂは，筐体２外から表示窓５１を通して３個のリール２１ａ，２１ｂ，２１ｃを目視できる領域から外れた位置に配置されるとともに，回転軸方向に並べられた３個のリール２１ａ，２１ｂ，２１ｃに対向して配置され，演出画像が印刷された透過フィルムを映写して，「ＧＯ」の文字を表す演出映像を任意に選択されたリール２１ａ，２１ｂ，２１ｃに向けて投影する光源を有する」ことは，
　本件発明と「前記照射光装置は，前記表示窓の窓枠よりも外側領域に配置され，前記可視光を前記リールの前記リール帯側に照射するように設定されており」，「前記リール」「に対向して配置され」た光源「を有している」点で共通している。
　また，引用発明の「スロットマシン１」は，本件発明の「ゲーミングマシン」に相当する。
　以上，（ａ）〜（ｅ）の対比より，両者は
「Ａ　表示窓を有した筐体と，
Ｂ　前記表示窓を介して前記筐体外から視認可能に前記筐体内に配置され，複数のシンボルを備えたリール帯がそれぞれ設けられて水平方向に並設された複数のリールと，
Ｃ’遊技に関する情報を識別可能とする可視情報を含む可視光を前記リール帯に照射する照射光装置とを有しており，
Ｄ　前記リールは，前記照射光装置からの前記可視光を反射するミラー層を有し，
Ｅ’前記照射光装置は，前記表示窓の窓枠よりも外側領域に配置され，前記可視光を前記リールの前記リール帯側に照射するように設定されており，前記リールに対向して配置された光源を有していることを特徴とするゲーミングマシン。」
である点で一致し，以下の点で相違している。
［相違点１］（構成Ｃ）
　「遊技に関する情報を識別可能とする可視情報を含む可視光」「を前記リール帯に」「照射する照射光装置」に関して，
　本件発明は，「遊技に関する情報を識別可能とする可視情報を含む可視光と，前記可視光よりも視認性が低い可視光と」「に切り替え可能に照射する」のに対して，
　引用発明は，そのような構成でない点。
［相違点２］（構成Ｅ）
　「前記表示窓の窓枠よりも外側領域に配置され，前記可視光を前記リールの前記リール帯側に照射するように設定されており」，「前記リール」「に対向して配置され」た光源「を有している」「前記照射光装置」に関して，
　本件発明は，「前記可視光よりも視認性が低い可視光を出射するフロントライト装置として用いられるとともに，全リールの幅よりも長尺の可視光を出射するように，前記リール毎に対向して配置されて前記水平方向に並設された複数のＬＥＤユニットを有している」のに対して，
　引用発明は，そのような構成でない点。
４　判断 
　上記相違点について検討する。
ア　相違点１について
　上記２（２）には，引用例２に記載された技術として「透明な透光部に赤色で文字を表示し，発光装置６１で赤を発光することで文字を消し，赤に対する補色を発光することで文字を際立たせる演出をする遊技機」に関する技術が記載されており，「発光装置６１で」「赤に対する補色を発光」したときが，本件発明の「遊技に関する情報を識別可能とする可視情報を含む可視光」を照射したときに相当し，「発光装置６１で赤を発光」したときが，本件発明の「前記可視光よりも視認性が低い可視光」を照射（出射）したときに相当する。
　引用発明と引用例２に記載された技術は共に，遊技機において，光源（発光装置）を用いて文字等を表示する技術であり，技術分野が共通している。
　引用発明の「演出画像が印刷された透過フィルムを映写して，ＢＢゲーム告知演出であり遊技者ＰＥＹＥが反射映像ＭＩＭＧを観察できる「ＧＯ」の文字を表す演出映像をリール２１ａ，２１ｂ，２１ｃに向けて投影する光源を有する投影部３４ａ，３４ｂ」における「演出画像が印刷された透過フィルム」及び「光源」に，上記引用例２に記載された技術である「透明な透光部に赤色で文字を表示し，発光装置６１で赤を発光することで文字を消し，赤に対する補色を発光することで文字を際立たせる演出をする」技術を適用して，引用発明の「演出画像が印刷された透過フィルム」の「「ＧＯ」の文字」である「演出画像」を赤色にし，「投影部３４ａ，３４ｂ」の「光源」で赤を発光することにより「「ＧＯ」の文字」を消し，赤に対する補色を発光することにより，「「ＧＯ」の文字」を際立たせるようにして，上記相違点１に係る本件発明の構成とすることは，当業者が容易になし得たことである。
イ　相違点２について
　「前記可視光よりも視認性が低い可視光を出射する」点については，上記「ア　相違点１について」において既に検討しており，「投影部３４ａ，３４ｂ」の「光源」で赤を発光したときは，リール２１ａ，２１ｂ，２１ｃに「ＧＯ」の文字は表示されず，リール２１ａ，２１ｂ，２１ｃの前面を赤で照らすことになるから，このときの「投影部３４ａ，３４ｂ」の「光源」は，「フロントライト装置として用いられる」ことになるといえる。
　次に，可視光を出射する幅については，引用発明の「投影部３４ａ，３４ｂ」の「光源」は，「ＧＯ」の文字を表す演出映像を任意に選択されたリール２１ａ，２１ｂ，２１ｃに向けて投影するものであるから，リール２１ａ，２１ｂ，２１ｃの各表面に同時に投影することも可能であり，リール２１ａ，２１ｂ，２１ｃの各表面の幅全体を利用して，演出表示用の映像を遊技者の視覚的に訴えるように見やすくするためには，「投影部３４ａ，３４ｂ」の「光源」は少なくともリール２１ａ，２１ｂ，２１ｃの各表面の幅全体に対して出射する必要があることは自明事項である。
　演出映像が見えやすくなるようにリール２１ａ，２１ｂ，２１ｃの各表面の幅全体に対して出射するためには、全リールの幅よりも長尺の可視光を照射する必要があるから、引用発明の「投影部３４ａ，３４ｂ」の「光源」から，全リールの幅よりも長尺の可視光を出射するようにすることは当業者が適宜設定できる設計事項である。
　また，リール毎に対向して配置されているかについては，引用発明の「投影部３４ａ，３４ｂ」の「光源」は，リール２１ａ，２１ｂ，２１ｃ毎に配置しているか否か定かではないものの，引用発明の「投影部３４ａ，３４ｂ」の「光源」は，任意に選択されたリール２１ａ，２１ｂ，２１ｃに向けて投影するものであるから，「投影部３４ａ，３４ｂ」の「光源」を，リールａ，２１ｂ，２１ｃに対応して個別に設けること，すなわちリール２１ａ，２１ｂ，２１ｃ毎に設けることは当業者なら容易になし得ることである。
　そして，複数のＬＥＤユニットを有しているかについては，遊技機において，光源として並設された複数のＬＥＤユニットを用いることは，例えば，特開２００８−６１６８号公報（光源は，好ましくは高輝度ＬＥＤである旨の記載があり，光源として並設された複数のＬＥＤユニットが図示されている。【００２５】，【００２６】，【図３】，【図５】，【図６】参照），特開２００６−１６４号公報（補助光源部１８に発光ダイオード［ＬＥＤ］を用いる旨の記載があり，光源として並設された複数のＬＥＤユニットが図示されている。【００２１】，【図３】，【図４】参照）に示されるように，本願出願前に周知技術である。
　そして，引用発明の「投影部３４ａ，３４ｂ」の「光源」として，遊技機における上記周知技術を採用することは当業者が容易になし得ることである。
　そうすると，引用発明に，上記引用例２に記載された技術，及び上記周知技術を適用し，設計変更を行い，上記相違点２に係る本件発明の構成とすることは，当業者が容易になし得たことである。
　また，本件発明の作用効果も，引用発明，引用例２に記載された技術，及び周知技術から当業者が予測できる範囲のものである。
　したがって，本件発明は，引用発明，引用例２に記載された技術，及び周知技術に基づいて，当業者が容易に発明をすることができたものである。
５　請求人の主張について
　請求人は平成２９年６月７日付け意見書第２頁第１〜１２行において，
「しかしながら，刊行物２は，段落番号００３９に「透明ない透光部に，赤色で文字を表示し，発光装置６１及び液晶表示装置６２で赤（又は赤系統の色又は暖色系）を発光することで，文字を消し，赤に対する補色や，赤以外の色（例えば，寒色系の色）を発光することで，文字を際立たせる」と記載されているように，透光部に表示された文字に対して裏側から発光装置６１及び液晶表示装置６２の光を照射し，透光部を透過する光の色を変えることで，表側から見たときに透光部の文字を消したり，際立たせたりするものです。
　このように，刊行物２の文字は，透光部を透過する透過光によって，消されたり，際立たせられたりしており，反射光によって表示されたり，非表示にされたりするものではありません。
　したがいまして，刊行物１に，刊行物２の技術を適用しても，リールの内側からリール帯に照射する照射光の色を変化させることになるだけであって，刊行物１の投影部３４ａ，３４ｂが，遊技に関する情報を識別可能とする可視情報を含む可視光と，可視光よりも視認性が低い可視光とをリール帯に切り替え可能に照射するようにはなりません。」と主張している。
　しかしながら，上記４「ア　相違点１について」において既に検討したように，引用発明と引用例２に記載された技術は共に，遊技機において，光源（発光装置）を用いて文字等を表示する技術であり，引用発明の「演出画像が印刷された透過フィルムを映写して，ＢＢゲーム告知演出であり遊技者ＰＥＹＥが反射映像ＭＩＭＧを観察できる「ＧＯ」の文字を表す演出映像をリール２１ａ，２１ｂ，２１ｃに向けて投影する光源を有する投影部３４ａ，３４ｂ」における「演出画像が印刷された透過フィルム」及び「光源」に，上記引用例２に記載された技術である「透明な透光部に赤色で文字を表示し，発光装置６１で赤を発光することで文字を消し，赤に対する補色を発光することで文字を際立たせる演出をする」技術を適用して，引用発明の「演出画像が印刷された透過フィルム」の「「ＧＯ」の文字」である「演出画像」を赤色にし，「投影部３４ａ，３４ｂ」の「光源」で赤を発光することにより「「ＧＯ」の文字」を消し，赤に対する補色を発光することにより，「「ＧＯ」の文字」を際立たせるようにして，上記相違点１に係る本件発明の構成（遊技に関する情報を識別可能とする可視情報を含む可視光と，前記可視光よりも視認性が低い可視光とに切り替え可能に照射する構成）とすることは，当業者が容易になし得たことである。
　したがって，請求人の主張を採用することはできない。
６　まとめ
　よって，本件発明は，引用発明，引用例２に記載された技術，及び周知技術に基づいて，当業者が容易に発明をすることができたものである。
第３　むすび
　以上のとおりであるから，本件発明は，特許法第２９条第２項の規定により特許を受けることができない。
　したがって，その余の請求項について検討するまでもなく，本願は，拒絶されるべきものである。
　よって，結論のとおり審決する。